(57)【要約】      （修正有）【課題】複数のシートパレットに対して洗浄水を使い回すことにより、使用する水の量を最小限に抑えることができるシートパレット洗浄装置の提供。【解決手段】上部を開口した箱型の筐体内の上部に、搬送ローラ３１，３２，３３を配置するとともに、前記搬送ローラ３１，３２，３３間に洗浄ブラシ３４，３５を配置して、シートパレットＳを洗浄するシートパレット洗浄装置１において、前記搬送ローラ３１，３２，３３によって搬送中のシートパレットＳの上面に向けて洗浄水を噴射する洗浄水噴射ノズル３６，３７と、前記洗浄水噴射ノズル３６，３７によって噴射された洗浄水が前記筐体外部に飛散しないように前記筐体内に配置された貯水槽７１とを備え、前記貯水槽７１に溜まった洗浄水を前記洗浄ブラシ３４，３５の下側の回転ブラシによって撒き上げ、前記撒き上げた洗浄水と前記下側の回転ブラシとによりシートパレットＳの下面の洗浄を行う。【選択図】図２
0003131484.tif 000002
【実用新案登録請求の範囲】
【請求項１】
上部を開口した箱型の筐体内の上部に、シートパレットを搬送する上下一対の回転ローラからなる搬送ローラを前記シートパレットの搬送方向に所定間隔で複数配置するとともに、前記搬送ローラ間に上下一対の回転ブラシからなる洗浄ブラシを配置して、前記シートパレットを洗浄するシートパレット洗浄装置において、
前記搬送ローラと前記洗浄ブラシとの間に配設され、前記搬送ローラによって搬送中のシートパレットの上面に向けて洗浄水を噴射する洗浄水噴射ノズルと、
前記洗浄水噴射ノズルによって噴射された洗浄水が前記筐体外部に飛散しないように前記筐体内に配置された貯水槽とを備え、
前記噴射ノズルから噴射される洗浄水及び前記洗浄ブラシの上側の回転ブラシによって前記シートパレット上面の洗浄を行うとともに、
前記貯水槽に溜まった洗浄水を前記洗浄ブラシの下側の回転ブラシによって撒き上げ、前記撒き上げた洗浄水と前記下側の回転ブラシとによりシートパレットの下面の洗浄を行うことを特徴とする請求項１に記載のシートパレット洗浄装置。
【請求項２】
前記貯水槽内に溜まった洗浄水のうち、所定の水位を超えた洗浄水のみを前記筐体外へと排出する水位調整管を前記貯水槽の側面に配置し、
前記所定の水位は、前記下側の回転ブラシの下端よりも高く、前記下側の回転ブラシの回転軸よりも低い位置であることを特徴とする請求項１に記載のシートパレット洗浄装置。
【請求項３】
前記搬送方向の最終位置にある搬送ローラから搬出される前記シートパレットの上面及び下面にそれぞれすすぎ用の洗浄水を噴射する上下一対のすすぎ用洗浄水噴射ノズルを前記筐体内の上部後端に設けたことを特徴とする請求項１又は２に記載のシートパレット洗浄装置。
【請求項４】
前記貯水槽は、略Ｖ字状に形成された底部を有し、
前記略Ｖ字状の底部の谷間部分に排水管を設けることを特徴とする請求項１ないし３の何れか１項に記載のシートパレット洗浄装置。
【請求項５】
前記筐体に前記シートパレットを排出する排出口を設け、しかも当該排出口に最も近い前記搬送ローラの上側の回転ローラと前記排出口との間に、前記シートパレットに残存する洗浄水を除去する水きりゴムを設けたことを特徴とする請求項１ないし４の何れか１項に記載のシートパレット洗浄装置。
【請求項６】
前記搬送ローラ及び前記回転ブラシの回転方向を変更するための回転方向変更手段を有することを特徴とする請求項１ないし５の何れか１項に記載のシートパレット洗浄装置。
【請求項７】
前記搬送ローラの回転速度を調節するための回転速度調節手段を有することを特徴とする請求項１ないし６の何れか１項に記載のシートパレット洗浄装置。
【考案の詳細な説明】
【技術分野】
【０００１】
本考案は、シートパレットを洗浄するための洗浄装置に関するものである。
【背景技術】
【０００２】
従来より、物流業界では、フォークリフトを用いて多くの荷物を一度に移動させる際、パレットと呼ばれる土台が使用されている。
【０００３】
近年、特に農産物の保管、輸送の現場においては、今まで一般的に用いられていたすのこ状の木製パレットに代わり、厚さ約２ｍｍの樹脂製材料からなるシートパレットと呼ばれるものが用いられるようになってきている。このシートパレットは、従来の木製パレットと比較して、１）場所をとらない、２）軽量である、３）リサイクル可能、４）単価が安い、といった点で優れている。
【０００４】
シートパレットは、度重なる使用によって汚れが付着することがあるが、荷物を保管、輸送する際、汚れたシートパレットを使用すると荷物にシートパレットに付着した汚れが移ることで商品価値が下がってしまう恐れがある。かかる事態を回避するためには、シートパレットの定期的な洗浄が必要となるが、現状では、専らデッキブラシ等を用いた人力による非効率的な洗浄が行われており、人の手を煩わせることなく効率的に洗浄することのできるシートパレット洗浄装置の開発が切に望まれている。
【０００５】
例えば、特許文献１に記載の発明は、上記のような問題点に鑑みて創作されたシートパレット洗浄装置であり、台車の上に洗浄工程部と、脱水・乾燥部とが設けられており、前記洗浄工程部は、シートパレットの搬送経路に沿って、シートパレットを送るローラと、シートパレットを洗浄するブラシと、洗浄液を噴射するスプレーノズルとが配設され、脱水・乾燥部は、シートパレットに付着した水分を除去するためのローラと、温風を吹き付けることでシートパレットを乾燥させるエアーノズルとが配設されている。かかる構成により、シートパレットの洗浄から脱水・乾燥までを自動化することができ、作業者の労力を削減することが可能となる。
【０００６】
【特許文献１】特開平８−２２９５２８号公報
【考案の開示】
【考案が解決しようとする課題】
【０００７】
しかしながら、特許文献１に記載のシートパレット洗浄装置は、シートパレットの通過経路の上下に配設されたスプレーノズルから噴射される洗浄液でシートパレットの洗浄を行うこととしている。したがって、洗浄するシートパレットの枚数がわずかである場合は問題ないが、多数のシートパレットを洗浄する場合、上下に配設されたスプレーノズルから大量の洗浄液を常に噴射し続けておかねばならず、使用する水の量が膨大となるため経済上問題となる。
【０００８】
そこで、本考案は、複数のシートパレットに対して洗浄水を使い回すことにより、使用する水の量を最小限に抑えることができるシートパレット洗浄装置を提供することを目的とするものである。
【課題を解決するための手段】
【０００９】
上記目的を達成するため、請求項１記載の考案では、上部を開口した箱型の筐体内の上部に、シートパレットを搬送する上下一対の回転ローラからなる搬送ローラを前記シートパレットの搬送方向に所定間隔で複数配置するとともに、前記搬送ローラ間に上下一対の回転ブラシからなる洗浄ブラシを配置して、前記シートパレットを洗浄するシートパレット洗浄装置において、前記搬送ローラと前記洗浄ブラシとの間に配設され、前記搬送ローラによって搬送中のシートパレットの上面に向けて洗浄水を噴射する洗浄水噴射ノズルと、前記洗浄水噴射ノズルによって噴射された洗浄水が前記筐体外部に飛散しないように前記筐体内に配置された貯水槽とを備え、前記噴射ノズルから噴射される洗浄水及び前記洗浄ブラシの上側の回転ブラシによって前記シートパレット上面の洗浄を行うとともに、前記貯水槽に溜まった洗浄水を前記洗浄ブラシの下側の回転ブラシによって撒き上げ、前記撒き上げた洗浄水と前記下側の回転ブラシとによりシートパレットの下面の洗浄を行うことを特徴とする。
【００１０】
また、請求項２記載の考案では、前記貯水槽内に溜まった洗浄水のうち、所定の水位を超えた洗浄水のみを前記筐体外へと排出する水位調整管を前記貯水槽の側面に配置し、前記所定の水位は、前記下側の回転ブラシの下端よりも高く、前記下側の回転ブラシの回転軸よりも低い位置であることを特徴とする。
【００１１】
また、請求項３記載の考案では、前記搬送方向の最終位置にある搬送ローラから搬出される前記シートパレットの上面及び下面にそれぞれすすぎ用の洗浄水を噴射する上下一対のすすぎ用洗浄水噴射ノズルを前記筐体内の上部後端に設けたことを特徴とする。
【００１２】
また、請求項４に記載の考案では、前記貯水槽は、略Ｖ字状に形成された底部を有し、前記略Ｖ字状の底部の谷間部分に排水管を設けることを特徴とする。
【００１３】
また、請求項５に記載の考案では、前記筐体に前記シートパレットを排出する排出口を設け、しかも当該排出口に最も近い前記搬送ローラの上側の回転ローラと前記排出口との間に、前記シートパレットに残存する洗浄水を除去する水きりゴムを設けたことを特徴とする。
【００１４】
また、請求項６に記載の考案では、前記搬送ローラ及び前記回転ブラシの回転方向を変更するための回転方向変更手段を有することを特徴とする。
【００１５】
また、請求項７に記載の考案では、前記搬送ローラの回転速度を調節するための速度調節手段を有することを特徴とする。
【考案の効果】
【００１６】
請求項１に記載の考案は、筐体内に貯水槽を備え、この貯水槽に溜めた洗浄水を洗浄ブラシで上方へ撒き上げ、この撒き上げた洗浄水と協働して汚れを除去することにより、一度洗浄に使われた洗浄水が再び貯水槽に溜められるため、複数のシートパレットに対して同一の洗浄水を使いまわすことができ、使用する水の量を最小限に抑えることができる。
【００１７】
請求項２に記載の考案は、水位調整管が前記下側の回転ブラシの下端よりも高く前記下側の回転ブラシの回転軸よりも低い位置に配設されることにより、貯水槽に溜まる洗浄水の最適な水位を保持することができるため、下側の回転ブラシが洗浄水と接触しないためにシートパレットに洗浄水が供給されなかったり、当該回転ブラシが洗浄水と接触し過ぎることにより当該回転ブラシが洗浄水から必要以上の抵抗力を受けることを防ぐことができる。
【００１８】
請求項３に記載の考案は、すすぎ用洗浄水噴射ノズルを設けることで、複数のシートパレットに対して使い回された貯水槽内の洗浄水を、当該すすぎ用洗浄水噴射ノズルから噴射される洗浄水により除去することができる。
【００１９】
請求項４に記載の考案は、貯水槽の底部を略Ｖ字状とし、当該略Ｖ字状の底部に形成された谷間部分に排水管を設けることとしたため、洗浄水を排出する際に、洗浄水やシートパレットから除去された泥等が貯水槽の底部に残存することを防ぐことができる。
【００２０】
請求項５に記載の考案は、水きりゴムによって洗浄後のシートパレットの上面に残存している洗浄水を除去することができるため、洗浄後シートパレットの乾燥に要する時間を短縮させることができる。さらに、水きりゴムを搬送ローラと排出口の間に配設したことによって除去された洗浄水は再び貯水槽内に溜まるため、使用する水の量をより一層節約することができる。
【００２１】
請求項６に記載の考案は、搬送ローラ及び回転ブラシの回転方向を変更するための回転方向変更手段を設けることにより、シートパレットの搬送方向を反転させることが可能となるため、特に汚れが酷いシートパレットを洗浄する場合は、シートパレットを装置内で往復させることで念入りな洗浄を行うことができる。
【００２２】
請求項７に記載の考案は、搬送ローラの回転速度を調節するための速度調節手段を設けることにより、シートパレットの搬送速度を調節することが可能となるため、汚れの酷いシートパレットを洗浄する場合は、回転速度を遅くすることで念入りに洗浄することができる。さらに、あまり汚れていないシートパレットを洗浄する場合は、回転速度を早めることで短時間で洗浄することができ、節水にも資する。
【考案を実施するための最良の形態】
【００２３】
以下に、本考案の一実施の形態について図面を参照しながら説明する。図１は本実施形態におけるシートパレット洗浄装置の全体斜視図、図２はシートパレット洗浄装置の側断面図、図３はシートパレット洗浄装置の右側面図、図４はシートパレット洗浄装置の左側面図、図５は搬送ローラ用モータ４０及び洗浄ブラシ用モータ５０の制御回路のブロック図、図６はシートパレット洗浄装置の側断面図における上部後方の拡大図である。なお、図２において紙面左右方向をシートパレット洗浄装置の前後方向とし、紙面の上下方向をシートパレット洗浄装置の上下方向とする。また、シートパレット洗浄装置を前方から見た場合における左右方向を同装置の左右方向と定義する。
【００２４】
図１，２に示すように、本考案にかかるシートパレット洗浄装置１は、上部を開口した箱型の筐体１０内の上部に、シートパレットＳの洗浄を行う洗浄工程部３０を設けて構成される。
【００２５】
筐体１０は、亜鉛メッキ等の防錆処理が施された鋼材等からなり、キャスタ１７が設けられた四本の支柱１１によって支持されている。かかる筐体１０の前方及び後方には、それぞれシートパレットＳの挿入口１２及び排出口１３が形成されており、さらに、挿入口１２には洗浄前のシートパレットＳを挿入口１２へと送り込むための送り込み架台１４が配設されるとともに、排出口１３には排出口１３から排出されたシートパレットＳを受けるための受け架台１５が配設されている。なお、図中において符号１６は、フリーローラであり、かかるフリーローラ１６が自由回転することによりシートパレットＳの挿入時あるいは排出後の作業を容易に行うことができる。
【００２６】
かかる筐体１０の上部には、シートパレットＳの洗浄を行う洗浄工程部３０が配設されている。洗浄工程部３０は、図２に示すように、シートパレットＳの洗浄装置１内部への送り込みや洗浄装置１外への送り出しを行う搬送ローラ３１，３２，３３と、シートパレットＳに付着した汚れを除去する洗浄ブラシ３４，３５と、シートパレットＳに洗浄水を噴射する洗浄水噴射ノズル３６，３７と、洗浄後のシートパレットに対してすすぎ用の洗浄水を噴射するすすぎ用洗浄水噴射ノズル３８，３９とを有する。
【００２７】
搬送ローラ３１，３２，３３は、シートパレットＳを挿入口１２から排出口１３へと搬送させる部材であり、筐体１０の前後方向において一定の間隔を開けて配設されている。かかる搬送ローラ３１，３２，３３は、それぞれ、金属の軸体を芯とするゴム製の回転ローラを上下一対に配置することで構成されており、これらがそれぞれ上下一体となってシートパレットＳを巻き込むように回転することによりシートパレットＳを挿入口１２から排出口１３へと搬送する。なお、これら搬送ローラ３１，３２，３３は、図３及び図４に示すように、チェーン４１，４２，４３及び歯車４４，４５，４６，４７によって筐体１０の下部に配設された搬送ローラ用モータ４０と連動連結されて回転動作を行う。
【００２８】
洗浄ブラシ３４，３５は、搬送ローラ３１，３２，３３を構成する各回転ローラとほぼ同径の円柱部材の周壁に、ストレートとウェーブのかかったナイロン製の毛を多数植設して形成される回転ブラシであり、植設された毛を含めた洗浄ブラシ３４，３５の各回転ブラシの直径は、搬送ローラ３１，３２，３３を構成する各回転ローラの直径の少なくとも２倍以上である。また、洗浄ブラシ３４，３５は、それぞれ上下２本の回転ブラシからなり、洗浄ブラシ３４は搬送ローラ３１，３２間に配設され、洗浄ブラシ３５は搬送ローラ３２，３３間に配設されている。かかる洗浄ブラシ３４，３５は、搬送ローラ３１或いは搬送ローラ３２によって搬送されてきたシートパレットＳに回転しながら接触することでシートパレットＳに付着した汚れを除去する。また、かかる洗浄ブラシ３４，３５の回転方向は、搬送ローラ３１，３２，３３の回転方向と同じであるため、シートパレットＳの搬送を妨げることなく洗浄を行うことができる。なお、洗浄ブラシ３４，３５は、図３に示すように、チェーン５１，５２，５３，５４及び従動スプロケット５５によって筐体１０の下部に配設された洗浄ブラシ用モータ５０と連動連結されて回転動作を行う。
【００２９】
また、図４に示すように、筐体１０の挿入口１２と、排出口１３と、洗浄工程部３０の搬送ローラ３１，３２，３３の上下回転ローラの中間点と、洗浄ブラシ３４，３５の上下回転ブラシの中間点とは、略同一直線上に並んでおり、このラインがシートパレットＳの搬送経路８０となる。
【００３０】
ここで、本実施形態にかかるシートパレット洗浄装置１は、図４に示すように、筐体１０の上端に設けられた操作部１８によって搬送ローラ用モータ４０及び洗浄ブラシ用モータ５０の回転動作の始動・停止操作及び回転方向の反転操作を行うことができる構成となっている。すなわち、操作部１８は、回転方向変更手段として、図示しない回転方向変更スイッチを有しており、かかる回転方向変更スイッチを押下することによって搬送ローラ用モータ４０及び洗浄ブラシ用モータ５０の回転方向は反転する。そして、これらモータ４０，５０の回転方向の反転に伴って搬送ローラ３１，３２，３３及び洗浄ブラシ３４，３５の回転方向も反転するため、シートパレットＳは挿入口１２側へ搬送されることとなる。したがって、汚れの酷いシートパレットＳを洗浄する際は、シートパレットＳを排出口１３側にある程度搬送した後、回転方向変更手段を用いて挿入口１２側に搬送することにより、かかるシートパレットＳを念入りに洗浄することができる。
【００３１】
さらに、操作部１８には、回転速度変更手段として、図示しない速度調節スイッチが設けられており、かかる速度調節スイッチを押下することにより、搬送ローラ用モータ４０の回転速度を調節することができる。したがって、酷く汚れているシートパレットＳを洗浄する際は、搬送ローラ用モータ４０の回転速度を遅くすることにより搬送ローラ３１，３２，３３の回転速度も遅くなるため、かかるシートパレットＳの念入りな洗浄を行うことができ、逆に、あまり汚れていないようなシートパレットＳを洗浄する場合は、搬送ローラ用モータ４０の回転速度を早くすることで搬送ローラ３１，３２，３３の回転速度も速くなるため、かかるシートパレットＳを短時間で洗浄することが可能となる。
【００３２】
ここで、回転方向の変更及び回転速度の調節は、図４に示すように、筐体１０の左側下部に設けられたコントロールボックス１９内に配設される制御部９０によって制御される。本実施形態におけるシートパレット洗浄装置１の制御装置は、図５に示すように構成されており、制御部９０は、操作部１８に設けられた回転方向変更スイッチが押下されたことを検出すると、搬送ローラ用駆動回路９１及び洗浄ブラシ用駆動回路９２に対して、モータを逆回転させるよう要求し、当該要求を受けた各駆動回路９１，９２は当該要求に従いそれぞれ搬送ローラ用モータ４０及び洗浄ブラシ用モータ５０を逆回転させる。
【００３３】
同様に、制御部９０は、操作部１８に設けられた回転速度変更スイッチが押下されたことを検出すると、搬送ローラ用駆動回路９１に対してモータの回転速度を変更するよう要求し、当該要求を受けた搬送ローラ用駆動回路９１は当該要求に従い搬送ローラ用モータ４０の回転速度を変更させる。
【００３４】
洗浄水噴射ノズル３６，３７は、シートパレットＳの上面に洗浄水を噴射するための部材であり、筐体１０の上端近傍に配設されている。洗浄水噴射ノズル３６は搬送ローラ３１と洗浄ブラシ３４との間に配設され、洗浄水噴射ノズル３７は搬送ローラ３２と洗浄ブラシ３５との間に配設されており、上側の回転ブラシに洗浄水を供給するため、これらの噴射口は洗浄ブラシ３４，３５におけるそれぞれの上側回転ブラシの下端近傍に向けられている。
【００３５】
なお、本実施形態にかかるシートパレット洗浄装置１は、洗浄水及び洗浄ブラシ３４，３５によってシートパレットＳに付着した汚れを十分に落とすことができ、さらに、汚れが酷い場合であっても、後述するように搬送ローラ３１，３２，３３及び洗浄ブラシ３４，３５の回転方向や回転速度を変更することで念入りな洗浄を行うことができるため、環境に悪影響を与えるおそれのある洗剤等を使用する必要はない。
【００３６】
また、搬送ローラ３３と排出口１３との間には、すすぎ用洗浄水噴射ノズル３８，３９が配設されている。後述するように、貯水槽７１に溜められた洗浄水は、複数のシートパレットＳに対して使い回された洗浄水であるため、このような洗浄水が付着したまま洗浄を終えるのは好ましくない。そこで、かかるすすぎ用洗浄水噴射ノズル３８，３９をシートパレットＳの搬送経路を挟んで上下に設けることで、前記使い回された洗浄水をすすぎ落とし、より清潔な状態で洗浄を終えることとした。なお、洗浄水噴射ノズル３６，３７及びすすぎ用洗浄水噴射ノズル３８，３９は、図４に示すように、シートパレット洗浄装置１の左側面に配設された洗浄水供給管６０と連結しており、この洗浄水供給管６０から供給される洗浄水を噴射する構成となっている。
【００３７】
また、筐体１０は、搬送ローラ３３から搬送されてきたシートパレットＳを排出口１３から受け架台１５へ搬送する際の案内板となるガイド２０を有している。かかるガイド２０は、図５に示すように、前端部及び後端部がそれぞれ下方に屈曲した全体略コの字状の板状部材であり、前端部がシートパレットＳの搬送経路８０と斜めに交わるように排出口１３の下端に配設されている。かかる構成とすることによって、シートパレットＳは、搬送ローラ３３から送り出されると、ガイド２０の前端部と当接してガイド２０上に乗り上げ、ガイド２０に沿って傾斜した状態で筐体１０外へ排出されることとなる。したがって、シートパレットＳに残存した洗浄水は傾斜に沿って貯水槽７１内に流し落とされるため、シートパレット洗浄装置１外部に洗浄水が漏れ出す心配がなく、さらに、節水に資することができる。
【００３８】
さらに、搬送ローラ３３の上側の回転ローラと排出口１３との間、特に、すすぎ用洗浄ノズル３８と排出口１３との間には、シートパレットＳの上面に残存する洗浄水を除去するための水きりゴム２１がガイド２０に当接して配置されている。水きりゴム２１は、上部を金属製の支持体２３と一体に連結されており、この支持体２３の両端を筐体１０の内壁に配設された支持部２２，２２で支持することによって筐体１０内部に固定される。かかる水きりゴム２１を設けることによって、ガイド２０上を搬送される洗浄後のシートパレットＳは、上面が水きりゴム２１と当接しながら搬送されるため、かかる部分に付着した洗浄水を除去することが可能となる。また、水きりゴム２１によって除去された洗浄水は、貯水槽７１内に再び溜められるため、使用する水の量を節約することができる。
【００３９】
筐体１０の内部であって、上記のごとく構成された洗浄工程部３０の下方には、洗浄水噴射ノズル３６，３７及びすすぎ用洗浄水噴射ノズル３８，３９によって噴射された洗浄水が筐体１０外部に飛散しないように貯水槽７１が設けられている。かかる貯水槽７１は、図２に示すように、所定の水位を超えた洗浄水のみを筐体１０外に排出する水位調整管７２と、貯水槽７１内の全ての洗浄水を筐体１０外に排出する排水管７３とで構成される。
【００４０】
貯水槽７１に洗浄水が所定量溜められると、洗浄ブラシ３４，３５のうち下側の回転ブラシの下端が洗浄水にある程度浸った状態となる。この状態で洗浄ブラシ３４，３５の回転動作を行うと、下側の回転ブラシは、かかる回転動作によって洗浄水を上方に撒き上げるとともに、この撒き上げた洗浄水とともにシートパレットＳの下面の洗浄を行う。
【００４１】
この際、洗浄ブラシ３４，３５によって撒き上げられた洗浄水のほとんどは、シートパレットＳに当たった後落下して再び貯水槽７１に溜められることとなる。したがって、一度洗浄に使われた洗浄水の再利用をすることができるため、洗浄水の使用量を大幅に削減することが可能となる。
【００４２】
一方、貯水槽７１には、洗浄水噴射ノズル３６，３７及びすすぎ用洗浄水噴射ノズル３８，３９から噴射された洗浄水も溜まるため、結果として貯水槽７１内の洗浄水の水位は増えていく。洗浄水の水位が増えると、洗浄ブラシ３４，３５に必要以上の抵抗力がかかり回転動作に支障を来たしたり、搬送ローラ３１，３２，３３が洗浄水に浸ることによりシートパレットＳのスムーズな搬送が妨げられたり、その他種々の駆動部材に悪影響を及ぼすおそれがあるため好ましくない。そこで、本実施形態では、貯水槽７１の側面に水位調整管７２を設けることによりかかる問題を解決することとした。
【００４３】
水位調整管７２は、下方に湾曲したパイプ状の部材であり、貯水槽７１の側面であって筐体１０の前面に相当する場所に設けられている。かかる水位調整管７２を設けることによって、所定の水位を超えた洗浄水は、水位調整管７２を介してシートパレット洗浄装置１外へと排出されることとなる。したがって、シートパレット洗浄装置１は、常に前記所定の水位を維持することができるため、上述したような水位が増えることによる不都合が生じることはない。
【００４４】
ここで、所定の水位とは、シートパレット洗浄装置１が稼動するための最適な水位であって、具体的には、下側の回転ブラシの下端よりも高く、これら下側の回転ブラシの回転軸３４’，３５’よりも低い位置をいう。このように、下側の回転ブラシの下端よりも高い位置とすることにより、下側の回転ブラシが洗浄水と接触しないためにシートパレットＳに洗浄水が供給されなくなることを防ぐことができる。また、下側の回転ブラシの回転軸３４’，３５’よりも低い位置とすることにより、下側の回転ブラシが洗浄水と接触し過ぎることで下側の回転ブラシが洗浄水から必要以上の抵抗力を受けることを防ぐことができる。さらに、上述したように、搬送ローラ３１，３２，３３の上下回転ローラの中間点と、洗浄ブラシ３４，３５の上下回転ブラシの中間点とは一直線上にあり、さらに、洗浄ブラシ３４，３５は搬送ローラ３１，３２，３３の直径の少なくとも２倍以上の直径を有するので、たとえ前記所定の水位が下側の回転ブラシの回転軸３４’，３５’近傍であったとしても搬送ローラ３１，３２，３３に洗浄水が接触することはない。
【００４５】
また、前記貯水槽７１の底部には、図２に示すように、側面視で略Ｖ字状に形成されている。また、かかる略Ｖ字状の底部の谷間部分には、シートパレットＳの洗浄が終了した際、貯水槽７１内の全ての洗浄水を筐体１０外へと排出するための排水管７３が設けられている。かかる構成とすることにより、貯水槽７１内の全ての洗浄水を筐体１０外へと排出させる際、洗浄水やシートパレットＳから除去された泥等が重力に従って前記谷間部分、すなわち排水管７３周辺に集まるため、貯水槽７１の底部に残存する洗浄水や泥等を減らすことができるとともに、かかる洗浄水の排出作業を迅速に行うことができる。
【００４６】
本実施形態におけるシートパレット洗浄装置１は、上記のように構成されており、以下に、その動作を図面を参照して詳細に説明する。
【００４７】
本実施形態にかかるシートパレット洗浄装置１を用いてシートパレットＳの洗浄を行う際は、先ず、洗浄水供給管６０を水道管等に接続して洗浄水噴射ノズル３６，３７及びすすぎ用洗浄水噴射ノズル３８に洗浄水を供給し、貯水槽７１内に洗浄水を溜める。この際、装置１上方への洗浄水の噴射を防ぐため、洗浄水供給管６０に設けられたバルブ６１を閉めることによってすすぎ用洗浄水噴射ノズル３９へ洗浄水が供給されないようにする。次に、シートパレット洗浄装置１の電源を入れ、搬送ローラ３１，３２，３３及び洗浄ブラシ３４，３５の回転始動スイッチを押下してこれらを回転動作させる。そして、バルブ６１を開いてすすぎ用洗浄水噴射ノズル３９に洗浄水を供給した後、図１に示すようにシートパレットＳを送り込み架台１４の上に載せるとともにフリーローラ１６上を滑走させて挿入口１２へと移動させる。
【００４８】
挿入口１２から装置１内へと進入したシートパレットＳは、図２に示すように、搬送ローラ３１の上下回転ローラの回転に巻き込まれ装置１奥へと搬送される。搬送ローラ３１によって搬送されたシートパレットＳは、次に、洗浄ブラシ３４によって洗浄される。この際、上側の回転ブラシは、洗浄水噴射ノズル３６から噴射される洗浄水と協働して汚れを除去する。また、下側の回転ブラシは、貯水槽７１に溜められた洗浄水を自己の回転動作によって上方へと撒き上げ、この撒き上げた洗浄水と協働して汚れを除去する。次に、シートパレットＳは、搬送ローラ３２によってさらに奥へと搬送され、洗浄ブラシ３５及び洗浄水噴射ノズル３７によって洗浄される。なお、シートパレットＳの汚れが酷い場合は、回転方向変更手段や速度調節部を用いることにより、搬送ローラ３１，３２，３３及び洗浄ブラシ３４，３５の回転方向や回転速度を変化させてかかるシートパレットＳの念入りな洗浄を行うこともできる。次に、シートパレットＳは、排出口１３近傍に配設されたすすぎ用洗浄水噴射ノズル３８，３９によって最終的なすすぎが行われることで、複数のシートパレットＳに対して使い回された貯水槽７１内の洗浄水が除去される。
【００４９】
最後に、シートパレットＳは、ガイド２０及び水きりゴム２１とによって残存する洗浄水が除去された後、排出口１３から装置１外へと排出され、受け架台１５の傾斜に沿ってフリーローラ１６上を滑走し、シートパレットＳの洗浄は終了する。なお、本実施形態においては、洗浄後のシートパレットＳは、天日干しによる自然乾燥によって残った水分を除去することとした。すなわち、本実施形態におけるシートパレット洗浄装置１は、ドライヤーやヒーターといった乾燥手段を省くことにより、装置の軽量化、省スペース化を実現できるばかりではなく、乾燥工程に自然エネルギーを利用しているという点で環境面にも優れた装置となっている。
【００５０】
以上本考案の好ましい実施の形態について説明したが、本考案はかかる特定の実施形態に限定されるものではなく、実用新案登録請求の範囲に記載された本考案の要旨の範囲内において、種々の変形・変更が可能である。
【００５１】
例えば、本実施形態において、洗浄水噴射ノズル３６，３７は、洗浄水供給管６０から供給される洗浄水を噴射する構成としたが、ポンプ等を用いることにより水位調整管７２から排出された洗浄水を利用する構成としてもよい。かかる構成とすることにより洗浄水の使用量をより一層削減することができる。
【００５２】
また、本実施形態にかかるシートパレット洗浄装置１は、シートパレットＳだけではなく樹脂製下敷材の洗浄にも用いることができる。樹脂製下敷材は、地面に置いた荷物に傷や汚れが付かないように地面に敷設されるものであり、シートパレットＳのようにフォークリフトによる荷物の搬送に使用することはできないが、素材及び形状はシートパレットＳとほぼ同一である。
【００５３】
本考案の実施の形態に記載された効果は、本考案から生じる最も好適な効果を列挙したに過ぎず、本考案による効果は、本考案の実施の形態に記載されたものに限定されるものではない。
【図面の簡単な説明】
【００５４】
【図１】本実施形態におけるシートパレット洗浄装置の全体斜視図である。
【図２】本実施形態におけるシートパレット洗浄装置の側断面図である。
【図３】本実施形態におけるシートパレット洗浄装置の右側面図である。
【図４】本実施形態におけるシートパレット洗浄装置の左側面図である。
【図５】本実施形態におけるシートパレット洗浄装置の搬送ローラ用モータ４０及び洗浄ブラシ用モータ５０の制御回路のブロック図である。
【図６】本実施形態におけるシートパレット洗浄装置の側断面図における上部後方の拡大図である。
【符号の説明】
【００５５】
１    シートパレット洗浄装置
３０    洗浄工程部
３１，３２，３３    搬送ローラ
３４，３５    洗浄ブラシ
３６，３７    洗浄水噴射ノズル
３８，３９    すすぎ用洗浄水噴射ノズル
７０    貯水部
７１    貯水槽
７２    水位調整管
７３    排水管
Ｓ    シートパレット
【図１】
0003131484.tif 000003
【図２】
0003131484.tif 000004
【図３】
0003131484.tif 000005
【図４】
0003131484.tif 000006
【図５】
0003131484.tif 000007
【図６】
0003131484.tif 000008